(57)【特許請求の範囲】
【請求項１】
観賞魚用水槽の上部に設置され、下面の一部には水槽内の水を循環させるためのポンプから垂下した吸水パイプ、及び該吸水パイプに連なって立ち上がり、濾過槽内に水を供給する吐出パイプを通すための開口を有する上部濾過装置において、前記開口を、前記吐出パイプ挿通用の孔と、吸水パイプに当接するくびれ部とを有する板状の閉塞具で閉塞したことを特徴とする観賞魚用水槽の上部濾過装置。
【請求項２】
観賞魚用水槽の上部に設置され、下面の一部には水槽内の水を循環させるためのポンプから垂下した吸水パイプ、及び該吸水パイプに連なって立ち上がり、濾過槽内に水を供給する吐出パイプを通すための開口を有する上部濾過装置の開口閉塞具であって、吐出パイプ挿通用の孔と、吸水パイプの当接するくびれ部とを備えることを特徴とする観賞魚用水槽の上部濾過装置の下面開口閉塞具。
【発明の詳細な説明】
【０００１】
【産業上の利用分野】
本発明は、観賞魚用水槽の上部に設定されて水槽内の水を濾過処理する上部濾過装置、及び上部濾過装置に用いる下面開口閉塞具に関する。
【０００２】
【従来の技術】
観賞魚用水槽を使用する場合には、水槽内の水からゴミ等を濾過するための濾過装置が一般に用いられている。この濾過装置の一例は、図７〜図９に示すようなもので、観賞魚用水槽２１の上部に設置される上部濾過装置２２は、観賞魚用水槽の横幅方向に延在する濾過枠２３ａの上面開口部を上部蓋２３ｂによって遮蔽した外観形状で、その内部に比較的長尺な濾過槽２４を収納するものとなっている。
【０００３】
そして、濾過枠２３ａの一端部にはポンプ収納部２５が形成されていると共に、他端部には排水部２６が設けられ、これらポンプ収納部２５と排水部２６との間に濾過槽２４を設置することで、ポンプ収納部２５内に収納されたポンプ機構２７によって観賞魚用水槽２１内から汲み上げた水を濾過槽２４へ供給し、該濾過槽２４内を通過する過程でゴミ等が除去された水を排水部２６から再び観賞魚用水槽２１へ戻すようになっている。
【０００４】
なお、ポンプ収納部２５内のポンプ機構２７は、循環ポンプ２８と、該循環ポンプ２８の下面より垂下する第１吸水パイプ２９ａと、該第１吸水パイプ２９ａの下端に設けた連通枠３０と、該連通枠３０の下面に垂下する第２吸水パイプ２９ｂと、前記した連通枠３０の上面から直立する吐出パイプ３１とからなり、循環ポンプ２８が駆動すると、第１吸水パイプ２９ａの内部に挿通した回転軸（図示省略）が回転して連通枠３０の内部に設けたタービン（図示省略）を回し、第２吸水パイプ２９ｂから吐出パイプ３１へ水を揚水するものとなっている。
【０００５】
また、ポンプ機構２７は、濾過枠２３ａのポンプ収納部２５に対して着脱自在となっており、第１，第２吸水パイプ２９ａ，２９ｂおよび吐出パイプ３１が取り付けられる連通枠３０を挿通可能な所要形状の挿通孔３２が、上部濾過装置２２の濾過枠２３ａ下面に開口している（図８，図９参照）。
【０００６】
【発明が解決しようとする課題】
しかしながら、上記した従来の濾過装置においては、吐出パイプ等を挿通させるための挿通孔が必要となるために、この挿通孔を介して飼育水がポンプ収納部内に飛散する可能性があり、濾過枠の内壁面や上部蓋内面に水滴が付着することから、電気的駆動源を有する循環ポンプを設置する環境として望ましいものではない。また、観賞魚揚水槽内に海水等の含塩水を入れている場合には、塩害が生ずる危険性もある。
【０００７】
そこで、本発明は、観賞魚揚水層の上部に設置される上部濾過装置の下面開口からポンプ収納部内等に飼育水が飛散しないようにすることを目的とする。
【０００８】
【課題を解決するための手段】
上記課題を解決するために、請求項１に係る観賞魚用水槽の上部濾過装置は、観賞魚用水槽の上部に設置され、下面の一部には水槽内の水を循環させるためのポンプ（例えば循環ポンプ９）から垂下した吸水パイプ（１０）、及び該吸水パイプに連なって立ち上がり、濾過槽内に水を供給する吐出パイプ（１１）を通すための開口（例えば、下面開口７の吐出パイプ挿通部７ｂ）を有する上部濾過装置（５）において、前記開口を、前記吐出パイプ挿通用の孔（例えば吐出パイプ挿通孔３）と、吸水パイプ（例えば、吸水パイプ１０の環状基端部１０ａ）に当接するくびれ部（４）とを有する板状の閉塞具（例えば下面開口閉塞具１）で閉塞するものとした。
【０００９】
また、請求項２に係る観賞魚用水槽の上部濾過装置の下面開口閉塞具は、観賞魚用水槽の上部に設置され、下面の一部には水槽内の水を循環させるためのポンプ（例えば循環パイプ９）から垂下した吸水パイプ（１０）、及び該吸水パイプに連なって立ち上がり、濾過槽内に水を供給する吐出パイプ（１１）を通すための開口（例えば、下面開口７の吐出パイプ挿通部７ｂ）を有する上部濾過装置（５）の開口閉塞具（例えば下面開口閉塞具１）であって、吐出パイプ挿通用の孔（例えば吐出パイプ挿通孔３）と、吸水パイプの当接するくびれ部（４）とを備えるものとした。
【００１０】
【作用】
したがって、請求項１に係る観賞魚用水槽の上部濾過装置によれば、板状の閉塞具に設けた吐出パイプ挿通用の孔に吐出パイプを挿通させると共に、くびれ部を吸水パイプに当接させることによって、上部濾過装置の下面に設けた吐出パイプ挿通用の開口を閉塞具が閉塞した状態に保持できる。
【００１１】
また、請求項２に係る観賞魚用水槽の上部濾過装置の下面開口閉塞具によれば、下面開口閉塞具に設けた吐出パイプ挿通用の孔に吐出パイプを挿通させると共に、くびれ部を吸水パイプに当接させることによって、上部濾過装置の下面に設けた吐出パイプ挿通用の開口を下面開口閉塞具で閉塞した状態に保持することができる。
【００１２】
【実施例】
次に、本発明の実施例を添付図面に基づいて詳細に説明する。図１に示すのは、第１実施例としての下面開口閉塞具１の俯瞰斜視図であり、所要形状の閉塞板２に例えば円形の吐出パイプ挿通孔３を開設すると共に、縁部適所には円弧状のくびれ部４を設けた合成樹脂製の部材である。なお、本実施例においては、上部濾過装置５のポンプ収納部６の下面に開設した下面開口７の形状に適合するように、例えば長方形の一側を半円弧状とした閉塞板２を用いると共に、円弧状辺縁部およびそれに連なる１対の直線状辺縁部には、下方に延出するリブ８を形成してある。
【００１３】
上記した下面開口７は、循環ポンプ９の下面より延出する吸水パイプ１０を挿通するための吸水パイプ挿通部７ａと、吐出パイプ１１を挿通させるための吐出パイプ挿通部７ｂとから成るものとしてあり、吸水パイプ挿通部７ａは循環ポンプ９の下面によって閉塞されるが、吐出パイプ挿通部７ｂは循環ポンプ９によっては閉塞されない。すなわち、上記のように構成した下面開口閉塞具１は、下面開口７の吐出パイプ挿通部７ｂを閉塞するものであり、下面開口閉塞具１の吐出パイプ挿通孔３内に吐出パイプ１１を挿通させると共に、循環ポンプ９下面における吸水パイプ１０の環状基端部１０ａの周面に下面開口閉塞具１のくびれ部４を当接させた状態とすることによって、吐出パイプ挿通部７ｂを良好に閉塞することができるのである。
【００１４】
斯くすることによって、上部濾過装置５のポンプ収納部６下面に開設した下面開口部７から観賞魚用水槽内の飼育水がポンプ収納部６内に飛散することを防止でき、モータを内蔵する循環ポンプ９の安全を期せるのである。
【００１５】
なお、下面開口閉塞具１に吐出パイプ挿通孔３とくびれ部４とを形成することによって、吸水ポンプ１０と吐出パイプ１１との位置関係に応じた所定状態を下面開口閉塞具１が保持するので、特に下面開口閉塞具１を所定位置に保持する必要はないが、上記実施例の如く、下面開口閉塞具１に設けたリブ８をリブガイド１２ａに沿わしめて下面開口７内へ導き、リブ受け１２ｂによってリブ８の下端部を受けるものとすれば、下面開口閉塞具１の安定度を高めることができると共に、水槽内の水の侵入を阻むのに適した構造となる。
【００１６】
加えて、下面閉塞具１によって下面開口７の吐出パイプ挿通部７ｂを閉塞した際に、ポンプ収納部６内の底面６ａと下面開口閉塞具１の上面とが略々面一状となるようにしておけば、循環ポンプ９の下部に閉塞板２の一部が延在していても、循環ポンプ９を略々平坦な状態で載置できるので、循環ポンプ９の設置安定性を損なうことがない。なお、上記実施例のように、汎用的な循環ポンプ９の吸水ポンプ１０における環状基端部１０ａ周面に当接するくびれ部４を形成した場合には、既存の循環ポンプ９に対して用いることが可能になると共に封止効果を高められるが、下面開口閉塞具１の主要な機能としては、少なくとも下面開口７における吐出パイプ挿通部７ｂを閉塞することであるから、下面開口７の循環ポンプ９の下面で閉塞できない部分のみを閉塞するように閉塞板２の形状を定めておき、循環ポンプ９の吐出ポンプ側の側面に密接状に当接させるようにしても、初期の目的を達成できる。
【００１７】
また、下面開口閉塞具１に設ける吐出パイプ挿通孔３を吐出パイプ１１の外径よりも若干形成しておけば、吐出パイプ１１の挿通作業を容易に行うことができるものの、吐出パイプ１１外周面と吐出パイプ挿通孔３との間に生ずる間隙部より水槽内の水が侵入する可能性もあるので、例えば、下面開口閉塞具１自体を比較的軟質で有弾性の合成樹脂を用いて形成することにより、吐出パイプ１１よりも若干径の小なる吐出パイプ挿通孔３を設けるようにしておけば、気密性を高めることができる。或いは、Ｏリング等の弾性環状部材を別途用意しておき、これらによって吐出パイプ１１外周面と吐出パイプ挿通孔３との間に生ずる間隙部を閉塞するようにしても良い。
【００１８】
図４に示すのは、第２実施例としての下面開口閉塞具１′であり、閉塞板２に吸水パイプ挿通孔３とくびれ部４を形成した点は、上記第１実施例と同様である。而して、この下面開口閉塞具１′の上面側には、円弧状辺縁部およびそれに連なる１対の直線状辺縁部から外側方に張り出す係合段部１３を設けてあり、吸水パイプ挿通孔７ｂと嵌合形状とした閉塞板２を下面開口７内に嵌め込んだ状態においては、係合段部１３がポンプ収納部６の底面上に位置することで、下面開口閉塞具１′が下面開口７より脱することを防止し、閉止状態を良好に維持できるのである。
【００１９】
なお、図面に示す実施例においては、吐出パイプ挿通孔７ｂの開口縁部に相当する位置にのみ係合段部１３を設けるものとして、下面開口閉塞具１′をセットした状態においては、係合段部１３によって循環ポンプ９の設置安定性を損なわないようにしてある。
【００２０】
【発明の効果】
以上説明したように、請求項１に係る観賞魚用水槽の上部濾過装置によれば、板状の閉塞具に設けた吐出パイプ挿通用の孔に吐出パイプを挿通させると共に、くびれ部を吸水パイプに当接させることによって、上部濾過装置の下面に設けた吐出パイプ挿通用の開口を閉塞具が閉塞した状態に保持できる。したがって、上部濾過装置の下面に設けた吐出パイプ挿通用の開口から上部濾過装置内に、観賞魚用水槽内の水が飛散することを良好に防止でき、電気的駆動源を有するポンプ機構の安全を期せるのである。
【００２１】
また、請求項２に係る観賞魚用水槽の上部濾過装置の下面開口閉塞具によれば、下面開口閉塞具に設けた吐出パイプ挿通用の孔に吐出パイプを挿通させると共に、くびれ部を吸水パイプに当接させることによって、上部濾過装置の下面に設けた吐出パイプ挿通用の開口を下面開口閉塞具で閉塞した状態に保持することができる。したがって、上部濾過装置の下面に設けた吐出パイプ挿通用の開口から上部濾過装置内に観賞魚用水槽内の水が飛散することを良好に防止でき、電気的駆動源を有するポンプ機構の安全を期せるのである。
【図面の簡単な説明】
【図１】第１実施例における下面開口閉塞具の斜視図である。
【図２】上部濾過装置の下面開口を下面開口閉塞具によって閉塞した状態の平面図である。
【図３】図２におけるＡ−Ａ断面図である。
【図４】第２実施例における下面開口閉塞具の斜視図である。
【図５】上部濾過装置の下面開口を下面開口閉塞具によって閉塞した状態の平面図である。
【図６】図５におけるＢ−Ｂ断面図である。
【図７】従来の上部濾過装置を上部に設置した観賞魚用水槽の従来例を示す正面図である。
【図８】従来の上部濾過装置のポンプ収納部にポンプ機構を設置した状態における腰部の拡大断面図である。
【図９】従来の上部濾過装置のポンプ収納部の平面図である。
【符号の説明】
１  下面開口閉塞具
３  吐出パイプ挿通孔
４  くびれ部
５  上部濾過装置
９  循環ポンプ
１０  吸水パイプ
１１  吐出パイプ
【図１】
0003557262.tif 000002
【図２】
0003557262.tif 000003
【図３】
0003557262.tif 000004
【図４】
0003557262.tif 000005
【図５】
0003557262.tif 000006
【図６】
0003557262.tif 000007
【図７】
0003557262.tif 000008
【図８】
0003557262.tif 000009
【図９】
0003557262.tif 000010